(57)【要約】【課題】形が崩れ易い商品や壊れ易い商品を、スキャニング後に崩れたり壊れたりすることなく収納でき、顧客が購入した多量な商品を効率よくレジ袋へ収納できるセルフスキャニングの会計処理装置及び商品集積台を提供する。【解決手段】スキャナによるデータ読取機能と、データ読取機能で読み取ったデータに基づく決済を行う会計処理装置本体と、スキャンしてデータを読み取った後の登録済み商品を集積し集積した登録済み商品の重量を計量する計量器を有する商品集積台５０とを備える。商品集積台５０の計量器３０６上に、登録済み商品を収納するレジ袋を保持するレジ袋保持手段５１０を設ける。レジ袋保持手段５１０は、一対の垂直部材５１１と、各垂直部材５１１から水平に延びる水平部材５１２と、水平部材５１２に設けられるレジ袋掛止部５１５とを具備する。一対の垂直部材５１１間にわたって、登録済み商品を載置する商品載置棚５１３を設置する。【選択図】図３
2014089774.tif 000002
【特許請求の範囲】
【請求項１】
スキャナによるデータ読取機能と該データ読取機能で読み取ったデータに基づく決済を行う決済機能を備えた会計処理装置本体と、前記スキャナにより商品に付したコードをスキャンしてデータを読み取った後の登録済み商品を集積し、当該集積された登録済み商品の重量を計量する計量器を有する商品集積台と、を備えた会計処理装置において、
前記商品集積台の計量器上に、前記登録済み商品を収納したレジ袋を保持するレジ袋保持手段を設け、
前記レジ袋保持手段は、
垂直方向に延び、水平方向に所定の間隔で配置される一対の垂直部材と、
前記それぞれの垂直部材から水平に延びて設置される水平部材と、
前記水平部材に設けられるレジ袋掛止部と、を具備し、
さらに前記一対の垂直部材間にわたって、前記登録済み商品を載置する商品載置棚を設置して構成されていることを特徴とする会計処理装置。
【請求項２】
スキャナにより商品に付されたコードのデータが読み取られた後の登録済み商品を集積すると共に、当該集積された登録済み商品の重量を計量器によって計量する商品集積台において、
前記商品集積台の計量器上に、前記登録済み商品を収納したレジ袋を保持するレジ袋保持手段を設け、
前記レジ袋保持手段は、
垂直方向に延び、水平方向に所定の間隔で配置される一対の垂直部材と、
前記それぞれの垂直部材から水平に延びて設置される水平部材と、
前記水平部材に設けられるレジ袋掛止部と、を具備し、
さらに前記一対の垂直部材間にわたって、前記登録済み商品を載置する商品載置棚を設置して構成されていることを特徴とする商品集積台。
【発明の詳細な説明】
【技術分野】
【０００１】
本発明は、スーパーマーケット等の小売店で使用される会計処理装置、特に顧客が自身で会計処理できる会計処理装置（セルフチェックアウトシステム）及び商品集積台に関する。
【背景技術】
【０００２】
従来の顧客自身が会計処理を行う会計処理装置（セルフチェックアウトシステム）は、顧客自身により商品のスキャニング（登録）と会計処理操作とを行うために、スキャンニング後（登録後）の商品をレジ袋（買物袋）或いは買物篭等に順次収納する毎に不正のチェックを行う必要から、会計処理装置の一側には、計量器を備えた商品篭載置台を配設するか、或いは、顧客の使用上の便宜を図るために、レジ袋を保持するレジ袋保持手段を前記計量器上部に備えた買物袋保持台のいずれか、或いは両方が配設されている場合が多い。
【先行技術文献】
【特許文献】
【０００３】
【特許文献１】特開２００７−２２６４９８号公報
【特許文献２】特開２００８−２７６５４０号公報
【特許文献３】登録実用新案第３０６９９２９号公報
【特許文献４】特開２００１−１１４２３０号公報
【特許文献５】特開２０００−０８５９０８号公報
【発明の概要】
【発明が解決しようとする課題】
【０００４】
本発明は、形が崩れ易い商品や、壊れ易い商品を、スキャニング後に崩れたり壊れたりすることなく収納でき、顧客が購入した多量な商品を効率よく買物袋（レジ袋）へ収納できるセルフスキャニングの会計処理装置及び商品集積台を提供することを目的とする。
【課題を解決するための手段】
【０００５】
上記の課題を解決するために、本発明は、スキャナによるデータ読取機能と、該データ読取機能で読み取ったデータに基づく決済を行う決済機能を備えた会計処理装置本体と、スキャナにより商品に付したコードをスキャンしてデータを読み取った後の登録済み商品を集積し、当該集積された登録済み商品の重量を計量する計量器を有する商品集積台と、を備えた会計処理装置において、商品集積台の計量器上に、登録済み商品を収納したレジ袋を保持するレジ袋保持手段を設け、レジ袋保持手段は、垂直方向に延び、水平方向に所定の間隔で配置される一対の垂直部材と、それぞれの垂直部材から水平に延びて設置される水平部材と、水平部材に設けられるレジ袋掛止部と、を具備し、さらに一対の垂直部材間にわたって、登録済み商品を載置する商品載置棚を設置して構成されていることを特徴とする。
【０００６】
また、本発明は、スキャナにより商品に付されたコードのデータが読み取られた後の登録済み商品を集積すると共に、当該集積された登録済み商品の重量を計量器によって計量する商品集積台において、商品集積台の計量器上に、登録済み商品を収納したレジ袋を保持するレジ袋保持手段を設け、レジ袋保持手段は、垂直方向に延び、水平方向に所定の間隔で配置される一対の垂直部材と、それぞれの垂直部材から水平に延びて設置される水平部材と、水平部材に設けられるレジ袋掛止部と、を具備し、さらに一対の垂直部材間にわたって、登録済み商品を載置する商品載置棚を設置して構成されていることを特徴とする。
【発明の効果】
【０００７】
本発明によれば、一対の垂直部材間にわたって、登録済み商品を載置する商品載置棚を設けたので、形が崩れ易い商品や、壊れ易いスキャンニング後の商品（登録済み商品）を商品載置棚に載置しておき、購入した全商品のスキャンニング終了後、登録済み商品の商品を収納したレジ袋の上部空間に商品載置棚に載置している、形が崩れ易い商品や、壊れ易い商品を最後に順次収納場所を選択して収納できる。
【図面の簡単な説明】
【０００８】
【図１】本発明に係る会計処理装置の概略構成を示す正面図である。
【図２】本発明に係る会計処理装置のシステム構成を示すブロック図である。
【図３】本発明に係る会計処理装置の商品集積台の計量部上に設置されるレジ袋保持手段の外観構成例を示す図である。
【図４】本発明に係る会計処理装置のレジ袋保持手段にレジ袋を保持した状態を示す図である。
【図５】本発明に係る会計処理装置の商品集積台の計量部上に設置されるレジ袋保持手段を構成するレジ袋保持手段パーツの外観構成例を示す図である。
【発明を実施するための形態】
【０００９】
以下、本発明の実施の形態について説明する。図１（ａ）は本発明に係る会計処理装置の概略構成を示す正面図であり、図１（ｂ）はＡ部分の拡大図である。本会計処理装置は、会計処理装置本体（セルフチェックアウトシステム本体）１０と、センサ２２と、呼び出しランプ２１と、自動釣銭釣札機２０と、前記会計処理装置本体１０とを略垂直方向に載置する本体載置台６０と、買物篭置台４０と、顧客自らがスキャンした後の商品をレジ袋（図示せず）へ収納し集積させる商品集積台５０とを備えている。
【００１０】
センサ２２は、会計処理装置本体１０に備え付けられたポール２４に取り付けられており、会計処理装置を利用する店員及び顧客を検知する。呼び出しランプ２１はポール２４の先端に設置され、顧客自身が商品精算を行っている際、店員を呼び出す時に点灯するランプである。
【００１１】
前記会計処理装置本体１０は、第１の液晶タッチパネル１０６と、第２の液晶タッチパネル１０７と、商品に付してあるバーコードを読み取るスキャナ部１０３と、スキャナ部１０３では読み取ることができない重たい大きな商品に付したバーコードをそのままスキャンするためのウォンドスキャナ１０２と、会員カード或いはクレジットカードを読み取るカードリーダ１０１と、会計処理後にレシートを発行するレシート発行部１０４を備えている。顧客はガイダンス画面である第２の液晶タッチパネル１０７、及び操作画面である第１の液晶タッチパネル１０６のみを用いて全ての操作を行う。
【００１２】
前記買物篭置台４０は第１のロードセル（計量器）３０５を備えたタイプ、或いは前記第１のロードセル３０５を備えないタイプがあり、第１のロードセル３０５を備えるタイプの場合は、商品登録部（図２参照）が備えているシステムバス３０１に第１のロードセル制御部３０７を介して接続され、該第１のロードセル３０５が出力する重量値をＣＰＵ３００に送信するようになっている。
【００１３】
前記商品集積台５０は、第２のロードセル（計量器）３０６を備え、スキャナ部１０３で登録した商品を入れるレジ袋（買物袋）を保持するレジ袋保持手段５１０を有している。該レジ袋保持手段５１０は、第２のロードセル（計量器）３０６の上部に着脱可能に設置され、該レジ袋保持手段５１０に保持されたレジ袋に収容された登録済み（スキャン済み）の商品の重量を計量できるようになっている。なお、５０４は後に詳述するように外部荷重除去手段としての枠部材であり、該枠部材５０４は支持部材５０２により、第２のロードセル３０６に当接しないように離間して商品集積台５０に支持されている。
【００１４】
自動釣銭釣札機２０は、硬貨投入口２０１と、硬貨払出口２０２と、紙幣投入口２０３と、紙幣払出口２０４とを備えている。該自動釣銭釣札機２０は、会計処理装置本体１０のシリアル制御部３０９（図２参照）に接続され、ＣＰＵ３００とシリアル通信でデータを送受信できるようになっている。
【００１５】
図２は本発明に係る会計処理装置のシステム構成を示すブロック図である。本システムはＣＰＵ３００を備え、システムバス３０１を介してＲＯＭ３０２、ＲＡＭ３０３、第１の液晶タッチパネル１０６、第２の液晶タッチパネル１０７、通信部３０４、シリアル制御部３０９、レシートプリンタ１１１、スキャナ部１０３、ウォンドスキャナ１０２、呼出ランプ２１、センサ２２と接続されている。
【００１６】
ＣＰＵ３００はシステムバス３０１を介して自動釣銭釣札機２０との間でデータの通信、第１のロードセル３０５及び第２のロードセル３０６との計量値データの通信を行う。また、ＲＯＭ３０２に記憶している動作プログラムにより、レシートプリンタ１１１、スキャナ部１０３、ウォンドスキャナ１０２、カードリーダ１０１、呼出ランプ２１、センサ２２、第１の液晶タッチパネル１０６、第２の液晶タッチパネル１０７を制御する。ＲＡＭ３０３には、ＣＰＵ３００が動作するために必要なファイルや設定データ等を一時記憶している。また、本会計処理装置のシステムには、管理装置や他会計処理装置と接続するための通信部３０４が設けられている。
【００１７】
図３は上記会計処理装置のレジ袋保持手段５１０を示す外観斜視図である。レジ袋保持手段５１０は第２のロードセル（計量器）３０６の秤量台３１７上面に水平方向に所定間隔離れ垂直方向に延びる一対の垂直部材５１１−１、５１１−２を立設し、それぞれの垂直部材５１１−１、５１１−２から同一方向に水平に延びる複数のアーム部（水平部材）５１２−１〜６が多段状に設けられている。最上段の一対のアーム部５１２−１、５１２−２間には板材あるいは、複数の棒状部材を等間隔に渡しその両端部を固定することで、商品載置棚５１３としている。最上段から２段目のアーム部５１２−３、５１２−４にはそれぞれ、レジ袋Ｍの取手部Ｍａ（図４参照）を掛止するレジ袋掛止部５１５−１、５１５−２が設けられている。また、最上段から３段目のアーム部５１２−５、５１２−６にはそれぞれ、レジ袋Ｍの取手部Ｍａを掛止するレジ袋掛止部５１５−３、５１５−４が設けられている。なお、３段目の一対のアーム部５１２−５、５１２−６のレジ袋掛止部５１５−３、５１５−４が設けられてない部分に板材あるいは複数の棒状部材を等間隔に渡しその両端部を固定して商品載置棚５１４を設けてもよい。
【００１８】
５０３は顧客が所持する手荷物を載置するための手荷物載置台であり、商品集積台５０から引き出し前側部に広げ、また押し込んで商品集積台５０内に収納できるようになっている。５０４は秤量台３１７の手荷物載置台５０３側に、秤量台３１７から所定の間隔離して設けた枠部材であり、該枠部材５０４は手荷物載置台５０３に載置された、手荷物（図示せず）に取り付けられている吊り下げ紐や手荷物自体が崩れて、秤量台３１７に当接し、第２のロードセル３０６の計量に影響を与えるのを防止する、所謂登録済み商品以外の外部荷重が秤量台３１７に当接し、第２のロードセル３０６の計量に影響を与えるのを防止する外部荷重除去手段である。図３において、５１７−１、５１７−２は最上段のアーム部５１２−１、５１２−２に設けられたフックであり、該フック５１７−１、５１７−２に登録済みの商品を掛けるようにしてもよい。
【００１９】
図４は本発明に係る会計処理装置の商品集積台５０の概略構成を示す図で、図４（ａ）は側面図、図４（ｂ）は正面図である（商品載置棚５１３は図示を省略）。図示するように、最上段から２段目の対向する一対のアーム部５１２−３、５１２−４のレジ袋掛止部５１５−１、５１５−２のそれぞれにレジ袋Ｍ１の取手部Ｍ１ａを掛止し、レジ袋Ｍ１を開口した状態で保持させると共に、最上段から３段目の対向する一対のアーム部５１２−５、５１２−６のレジ袋掛止部５１５−３、５１５−４にそれぞれレジ袋Ｍ２の取手部Ｍ２ａを掛止し、レジ袋Ｍ２を開口した状態で保持させている。
【００２０】
また、レジ袋保持手段５１０の一対の垂直部材５１１−１、５１１−２に設けられた複数のアーム部５１２−１〜６は段状、即ち下に位置するアーム部５１２−５、５１２−６が上に位置するアーム部５１２−３、５１２−４より長く、同一方向に水平に延びているので、下方に保持されたレジ袋Ｍ２の背後は空間となっている。従って、上方に保持されるレジ袋Ｍ１としては、下方に保持されたレジ袋Ｍ２より長くしても、レジ袋Ｍ１の底部が下方のレジ袋Ｍ２の開口を閉塞することがない。即ち、レジ袋Ｍ１の容量をレジ袋Ｍ２の容量より大きくすることができる。
【００２１】
なお、本上記例では、レジ袋保持手段５１０を図４に示すように、２枚のレジ袋Ｍ１、Ｍ２を開口状態で保持できるように、一対の垂直部材５１１−１、５１１−２に設けた一対のアーム部５１２−３、５１２−４と一対のアーム部５１２−５、５１２−６を二段に設けた二段構成としたが二段以上の複数段でもよい。また、計量器上部にレジ袋保持手段５１０を略水平方向に複数備える構成としてもよい。
【００２２】
次に上記会計処理装置の操作について説明する。図１において顧客が購入した商品を収納した買物篭を買物篭置台４０に置き、商品集積台５０の第２のロードセル３０６の秤量台３１７に着脱自在に載置固定したレジ袋保持手段５１０に図４に示すように、レジ袋Ｍ１、Ｍ２を開口保持させる。これは会計処理装置本体１０の第２の液晶タッチパネル１０７に表示されたガイダンスに従って行うことができる。
【００２３】
買物篭置台４０に第１のロードセル３０５が備えられていると、買物篭を含む商品の重量が計量され、この計量値データがＣＰＵ３００に送信される。ＣＰＵ３００ではこの計量値から、買物篭の重量を減算することで、購入した総商品の重量を判定できる。第２のロードセル３０６の秤量台３１７に載置固定したレジ袋保持手段５１０や保持されたレジ袋Ｍ１、Ｍ２の重量は第２のロードセル３０６で計量され、この計量値データがＣＰＵ３００に送信される。この状態で商品のバーコードをスキャナ部１０３で走査して登録（スキャン）を開始する。登録の終了した商品はレジ袋Ｍ１又はＭ２に収容する。順次買物篭置台４０に載置された買物篭内の商品を登録し、登録済みの商品をレジ袋Ｍ１又はＭ２に収容する。
【００２４】
上記スキャンニング後の商品（登録済み商品）をレジ袋Ｍ１又はＭ２に収容する際、形が崩れ易い商品や、壊れ易いものは最上段の商品載置棚５１３又は３段面の商品載置棚５１４に載置しておき、購入した全商品のスキャンニング終了後、登録済み商品の商品を収納した複数のレジ袋Ｍ１及びＭ２のうち、上部に空間が残っているレジ袋Ｍ１又はＭ２或いは両方に前記商品載置棚５１３又は３段目の商品載置棚５１４に載置しておいた、形が崩れ易い商品や、壊れ易い商品を最後に順次上部が空いているレジ袋を選択して収納する。
【００２５】
レジ袋Ｍ１及びＭ２内に収容された商品の重量は、第２のロードセル３０６で計量され、この計量値からレジ袋保持手段５１０の計量値を減算することにより、レジ袋Ｍ１及びＭ２内に収容された商品の重量を知ることができる。第１のロードセル３０５で計量した計量値から買物篭の重量値を減算して得た総購入商品の重量値とレジ袋Ｍ１及びＭ２内に収容された商品の重量値が一致したら商品登録終了する。商品登録が終了したら、第１の液晶タッチパネル１０６に表示された登録商品、個々の金額、合計金額を確認し、確認できたら該第１の液晶タッチパネル１０６に表示された会計ボタンを押すことにより会計処理に移行する。なお、重量が重く大きな商品は付してあるバーコードをウォンドスキャナ１０２で走査し、当該商品を買物袋Ｍ１又はＭ２に収納するか、秤量台３１７上に置く。また、バーコードの付していない商品についてはボタン操作で登録する。
【００２６】
次に、第１の液晶タッチパネル１０６に表示された、支払い選択画面から「現金」、「クレジットカード」等のいずれかの支払い方法を選択し、選択した支払方法に応じて「現金」の選択の場合は硬貨投入口２０１から硬貨、紙幣投入口２０３から紙幣を投入する。また、「クレジットカード」選択の場合はカードリーダ１０１を挿入して支払いを行う。釣銭は、硬貨払出口２０２、紙幣払出口２０４から吐出される。
【００２７】
なお、買物篭置台４０にロードセル（計量器）が無い場合は、商品に付しているバーコードを読み取ることにより、予め個々の商品の登録されている重量を読み出して、登録済みの個々の商品の重量を加算しその総重量と、第２のロードセル３０６で計量した重量値が一致したことで、全商品が登録終了していることを知ることができ、それを確認して上記会計処理に移行できる。
【００２８】
また、本実施では、図３に示すように、レジ袋保持手段５１０は第２のロードセル（計量器）３０６の秤量台３１７上面に所定間隔離れ垂直方向に延びる一対の垂直部材５１１−１、５１１−２を立設し、それぞれの垂直部材５１１−１、５１１−２から同一方向に水平に延びる複数のアーム部５１２−１〜６を多段状に設けた構成であるがこれに限定されるものではない。例えば図５（ａ）、（ｂ）に示すように、一段構成のレジ袋保持手段パーツ５２０、５３０を予め多数用意しておき、レジ袋保持手段パーツ５２０、５３０をその垂直部材５２２−１、５２２−２を連結手段で連結してレジ袋保持手段としてもよい。つまり下記に詳述するように、複数のレジ袋保持手段パーツで、複数のレジ袋保持を階段状に有するレジ袋保持手段を構成してもよい。また、レジ袋保持手段パーツは、略水平方向の左右に複数段状に増減させることができる構成としてもよい。
【００２９】
図５（ａ）のレジ袋保持手段パーツ５２０は、図示するように一対の短い垂直部材５２２−１、５２２−２にそれぞれレジ袋掛止部５２４−１、５２４−２を具備するアーム部５２１−１、５２１−２を水平方向に設け、一対の垂直部材５２２−１、５２２−２を結合部材５２３−１、５２３−２で結合し、一体に構成した一段構成のレジ袋保持手段パーツである。図５（ｂ）のレジ袋保持手段パーツ５３０が、レジ袋保持手段パーツ５２０と異なる点は、一対のアーム部５２１−１、５２１−２の長さが、レジ袋保持手段パーツ５３０の方が長くなっている点であり、他はレジ袋保持手段パーツ５２０はと同じ構成である。なお、図５では一対のアーム部５２１−１、５２１−２の長さの異なる２種類のレジ袋保持手段パーツ５２０、５３０を示すが、アーム部の異なるレジ袋保持手段パーツを３種類以上としてもよい。
【００３０】
レジ袋保持手段パーツ５２０の垂直部材５２２−１、５２２−２とレジ袋保持手段パーツ５３０の垂直部材５２２−１、５２２−２を互いに連結する連結手段としては、例えば、図５（ｃ）に示すように上に位置するレジ袋保持手段パーツ５２０の垂直部材５２２−１、５２２−２の下端にそれぞれ挿入突起部５２２−１ａ、５２２−２ａを設け、下に位置するレジ袋保持手段パーツ５３０の垂直部材５２２−１、５２２−２の上端に挿入突起部５２２−１ａ、５２２−２ａを嵌入する突起挿入孔５２２−１ｂ、５２２−２ｂを設け、該突起挿入孔５２２−１ｂ、５２２−２ｂに挿入突起部５２２−１ａ、５２２−２ａを挿入することにより、レジ袋保持手段パーツ５３０の上にレジ袋保持手段パーツ５２０を階段状に積み重ね、レジ袋保持手段とする。このように一対のアーム部５２１−１、５２１−２の長さの異なる、レジ袋保持手段パーツを積み重ねてレジ袋保持手段を構成することにより、顧客の購入する商品の状況に応じてレジ袋保持手段の段数を増減自在にすることが可能となる。なお、レジ袋保持手段パーツの一対のアーム部５２１−１と５２１−２の間に板状体あるいは複数の棒状体を渡し、両端をアーム部５２１−１、５２１−２に固定して商品載置棚を設けてもよい。
【００３１】
本実施例のレジ袋保持手段５１０の両側のアーム部５１２−１、５１２−２や垂直部材５１１−１、５１１−２に小物を引っ掛けるフックや、筒状の物入れを設けてもよい。これにより、フックは小物等の商品を引っ掛け、筒状の物入れはフランスパンや長葱等の長尺の商品を収納することができる。そして全商品の登録後に、フックに引っ掛けた商品や、筒状の物入に収納した長尺の商品をレジ袋に収納する。
【００３２】
以上本発明の実施形態を説明したが、本発明は上記実施形態に限定されるものではなく、特許請求の範囲、及び明細書と図面に記載された技術的思想の範囲内において種々の変形が可能である。例えば、上記例では、一対のアーム部５１２−１、５１２−２のそれぞれにレジ袋Ｍの両側の取手部Ｍａを掛け、レジ袋Ｍを開口した状態で保持しているが、複数のレジ袋Ｍを段状に保持する手段は、これに限定されるものではない。
【産業上の利用可能性】
【００３３】
本発明は、商品集積台の計量器の上部に登録済み商品を収納するレジ袋を複数段状に保持するレジ袋保持手段を設けたので、略垂直方向にレジ袋を複数保持することができ、顧客はスキャニング後の商品を複数のレジ袋に順次収納することができ、最小の面積内で効率よく多量の登録済み商品をレジ袋へ順次収納することができ、また、計量器上部に複数のレジ袋を備えているので、スキャン前とスキャン後（登録済み）の商品の重量（計量器が出力する重量値）に基づき、まとめて一度のチェックで、正しい会計精算を行うことができる会計処理装置として利用することができる。
【符号の説明】
【００３４】
１０  会計処理装置本体
２０  自動釣銭釣札機
２１  呼び出しランプ
２２  センサ
２４  ポール
４０  買物篭置台
５０  商品集積台
６０  本体載置台
１０１  カードリーダ
１０２  ウォンドスキャナ
１０３  スキャナ部
１０４  レシート発行部
１０６  第１の液晶タッチパネル
１０７  第２の液晶タッチパネル
２０１  硬貨投入口
２０２  硬貨払出口
３００  ＣＰＵ
３０１  システムバス
３０２  ＲＯＭ
３０３  ＲＡＭ
３０５  第１のロードセル
３０６  第２のロードセル
３０７  第１のロードセル制御部
３０８  第２のロードセル制御部
３０９  シリアル制御部
３１６  秤量台
３１７  秤量台
５０２  支持部材
５０３  手荷物載置台
５０４  枠部材
５１０  レジ袋保持手段
５１１  垂直部材
５１２  アーム部
５１３  商品載置棚
５１４  商品載置棚
５１５  レジ袋掛止部
５１７  フック
５２０  レジ袋保持手段パーツ
５３０  レジ袋保持手段パーツ
【図１】
2014089774.tif 000003
【図２】
2014089774.tif 000004
【図３】
2014089774.tif 000005
【図４】
2014089774.tif 000006
【図５】
2014089774.tif 000007